(57)【特許請求の範囲】
【請求項１】
太陽電池モジュールを支持する架台に組まれた鋼管材に、太陽電池モジュールに接続されるケーブルを取りまとめて支持するための金具であって、
前記鋼管材の外周に沿って湾曲する湾曲部と、両端部が同一方向へ平行して延出する脚部と、これらの脚部の端部に形成されたねじ部とを備えたＵ字ボルトと、
両端部が前記ねじ部にそれぞれ係合して前記Ｕ字ボルトの脚部間の開放部を閉塞する止め金とを具備し、
前記止め金は、前記Ｕ字ボルトの脚部を間隔方向と直交する前後方向に斜めに貫通させることができる挿通孔と、この挿通孔を貫通した脚部の先端側に向かって傾斜し、前記ねじ部を押圧することにより挿通孔内に脚部を前後方向斜めに支持する板ばね部とを具備し、
前記板ばね部の押圧に抗して前記挿通孔への前記脚部の挿入を許容する一方、挿通孔に挿入したねじ部のねじ山の谷部へ食い込んだ板ばね部の押圧により抜け止めし、また前記止め金を脚部に対して直交方向に回転させることにより、板ばね部を脚部に接近させる方向に傾斜させてばね力を弱めると共に、脚部に対して挿通孔を実質的に拡大させて抜き取りを許容することを特徴とする太陽電池モジュール用ケーブル支持金具。
【請求項２】
前記止め金は、前記挿通孔を備えた係合部と、この係合部の前後方向一方に延出して押し下げることにより止め金を傾ける操作部と、他方に延出して折り返され、先端に前記板ばね部を有する返し部を具備することを特徴とする請求項１に記載の太陽電池モジュール用ケーブル支持金具。
【発明の詳細な説明】
【技術分野】
【０００１】
この発明は、太陽電池モジュールを設置した架台に太陽電池モジュールに接続されるケーブルを所定経路に沿って配線するために、架台に組まれた鋼管材にケーブルを支持する金具に関するものである。
【背景技術】
【０００２】
このケーブル支持金具として、例えば非特許文献に掲載のものがある。このケーブル支持金具は、太陽電池モジュールを設置した架台に組まれたアングル材のフランジを厚み方向に挟み込むことにより取り付けるクリップ状本体と、横方向に複数並べたケーブルを上部の押さえ板部と下部の挿入板部とで把持し、本体に着脱可能に係合する把持体とを具備する。把持体の挿入板部には、斜めに立ち上がって弾力的に倒伏可能なばね片を備える。本体の上部の挟持板部には、アングル材のフランジとの間に間隙を形成して把持体の挿入板部をばね片を圧縮変形させつつ横方向にスライド係合可能な差し込み受け部を備える。
【先行技術文献】
【特許文献】
【０００３】
【非特許文献１】ネグロス電工株式会社インターネットホームページ（http://www.negurosu.co.jp/new/goods/2012.02/S-PVCR2/pdf/S-PVCR2.pdf）に掲載の電子カタログ
【発明の概要】
【発明が解決しようとする課題】
【０００４】
上記従来のケーブル支持金具においては、もともと鋼管材に取り付けることができないし、本体のクリップ力により鋼管材に取り付けるので、フランジの挿入方向と逆の外力を受けると比較的容易に外れてしまう。さらに、本体から把持体を取り外すのに挿入部をドライバなどの治具を用いないと操作し難い。また、構造が比較的複雑で製作が容易でなく、コスト低廉化を妨げる。
そこで、本発明は、架台の鋼管材に容易に装着でき、安易に外れることなく、構造簡易で安価に製作できる太陽電池モジュール用ケーブル支持金具を提供することを課題としている。
【課題を解決するための手段】
【０００５】
上記課題を解決するため、この発明の太陽電池モジュール用ケーブル支持金具１においては、太陽電池モジュールを支持する架台に組まれた鋼管材Ｐに、太陽電池モジュールに接続されるケーブルＣを取りまとめて支持するため、鋼管材Ｐの外周に沿って湾曲し両端部が同一方向へ平行して延出する脚部５と、これらの脚部５に形成されたねじ部５ａとを備えたＵ字ボルト２と、ねじ部５ａにそれぞれ係合してＵ字ボルト２の脚部５，５間の開放部を閉塞する止め金３とを具備させる。止め金３は、Ｕ字ボルト２の脚部５を間隔方向と直交する前後方向に斜めに貫通させることができる挿通孔９と、この挿通孔９を貫通した脚部５の先端側に向かって傾斜し、ねじ部５ａを押圧することにより脚部５を挿通孔９内に前後方向斜めに支持する板ばね部１０とを具備させる。板ばね部１０の押圧に抗して挿通孔９への脚部の挿入を許容する一方、挿通孔９に挿入したねじ部５のねじ山の谷部へ先端が入り込んだ板ばね部１０の押圧により抜け出しを阻止し、また止め金３を板ばね部１０に対して直交方向に回転させることにより、板ばね部１０を脚部５の側面に接近させる方向に傾斜させてばね力を弱めると共に、脚部５に対して挿通孔９を実質的に拡大して抜き出しを許容する。
止め金３には、挿通孔９を備えた係合部６と、この係合部６の前後方向一方に水平に延出して押し下げることにより止め金を傾ける操作部６と、他方に延出して折り返され、先端に板ばね９を有する返し部７を具備させる。
【発明の効果】
【０００６】
この発明によれば、鋼管材及びケーブルをＵ字ボルトの内部に配置して、ねじ部を止め金の挿通孔にそれぞれ差し込むだけで、ケーブルを架台の鋼管材に簡単に支持することができ、また板ばね部がねじ部を確実に抜け止めするので、容易に外れることがなく、さらに止め金を板ばねに対して直交方向に傾けることにより、Ｕ字ボルトから外して鋼管材から簡単に取り外すことができる。また、鋼管材の外周にほぼ沿う汎用のＵ字ボルトと、板ばね部及びねじ部用の挿通孔を設けた止め金とからなる簡易構造のため、製作が容易で、コスト低廉化を実現できる。
【図面の簡単な説明】
【０００７】
【図１】本発明に係るケーブル支持金具の斜視図である。
【図２】図1のケーブル支持金具の正面図である。
【図３】図1のケーブル支持金具の側面図である。
【図４】図1のケーブル支持金具の縦断面図である。
【図５】図1のケーブル支持金具の係合部の拡大断面図である。
【発明を実施するための形態】
【０００８】
図面を参照して本発明に係るケーブル支持金具の実施の一形態を説明する。
図１ないし図４において、ケーブル支持金具１は、太陽電池モジュールを設置する架台に組まれた鋼管材Ｐに、太陽電池モジュールに接続されるケーブルＣを支持するものである。このケーブル支持金具１は、中央部が湾曲し、両端部が同一方向へ対向して延出したＵ字ボルト２と、このＵ字ボルト２の両端部間の開口を閉塞するように両端部にねじ部５を挿通させる止め金３とを具備する。
【０００９】
Ｕ字ボルト２は、鋼管材Ｐの外周に沿う円弧状の湾曲部４と、湾曲部４の両端から連続する平行な脚部５と、脚部５の端部に設けられたねじ部５ａとを備える。
【００１０】
止め金３は矩形鋼板からなり、長手方向の複数の折り目により、Ｕ字ボルト２の脚部５を貫通させる係合部６と、係合部６の前後方向（装着する鋼管材Ｐの軸線方向）一方に連続する返し部７と、係合部６の前後方向他方に連続する横断面く字状の操作部８とを具備する。係合部６には、Ｕ字ボルト２の脚部５を前後方向に揺動可能に貫通させるために脚部５より十分に大径の挿通孔９を備えている。返し部７は、一端が係合部６に連続して横断面コ字状に屈曲している。返し部７の他端には、係合部６と交差する方向に斜め下方へ延びる板ばね部１０が連続する。板ばね部１０は、挿通孔９を貫通したＵ字ボルト２の脚部５に接近するに従って脚部５の先端側に向かうように傾斜し、脚部５のねじ部５ａに押圧接触する。板ばね部１０は、Ｕ字ボルト２の脚部５が挿通孔９を貫通した状態で、板ばね部１０と反対側に脚部５を付勢するので、垂直方向のＵ字ボルト２の脚部５に対して係合部６が相対的に傾斜して脚部５が挿通孔９の前後の開口縁に押し当たり板ばね部１０を含めて３点で脚部５を保持する。操作部８は、係合部６に脚部５を保持した状態で押し下げると、係合部６が脚部５に直交する方向に回転するので、脚部５に対して挿通孔９が実質的に拡大すると共に、脚部５に対して板ばね部１０の傾斜角を小さくしてばね力を弱める。
【００１１】
このケーブル支持金具１は、鋼管材Ｐ周りにＵ字ボルト２を掛けてさらにＵ字ボルト２内にケーブルＣを配置し、止め金３でＵ字ボルト２の開放部を閉じることにより、鋼管材Ｐに装着されケーブルＣを支持する。Ｕ字ボルト２の脚部５を止め金３に挿入するとき、途上で板ばね部１０が脚部５の側面に押し当たるが、操作部８を下げるよう止め金３を前後方向に傾けると、挿通孔９が実質的に拡大し、また板ばね部１０が脚部に対して接近方向に傾くので、ばね力に抗して、脚部５を難なく進入させることができる。装着したケーブル支持金具１は、図５に示すように、板ばね部１０がねじ部５ａに押し当たることにより、ねじ部５ａを板ばね部１０及び挿入孔９の前後の開口縁の三点で支持され、脚部５の抜き出しに対して板ばね部１０及び挿入孔９の上部の開口縁の二点がねじ部５ａのねじ山に食い込んでねじ部５ａが抜け止めされる。一方、保持状態で操作部８を下げるよう止め金３を前後方向に傾けると、挿通孔９が実質的に拡大し、また板ばね部１０が脚部５に対して接近方向に傾くので、ばね力が弱まり脚部５を難なく抜き取ることができる。
【符号の説明】
【００１２】
１    ケーブル支持金具
２    Ｕ字ボルト
３    止め金
４    湾曲部
５    脚部
５ａ  ねじ部
６    係合部
７    返し部
８    操作部
９    挿通孔
１０    板ばね部
Ｃ    ケーブル
Ｐ    鋼管材
【図１】
0005433042.tif 000002
【図２】
0005433042.tif 000003
【図３】
0005433042.tif 000004
【図４】
0005433042.tif 000005
【図５】
0005433042.tif 000006